(57)【特許請求の範囲】
【請求項１】
各種センサ類からの信号を入力して穀物乾燥機のモータ及びバーナを駆動させて穀物を乾燥制御する穀物乾燥機の制御装置において、複数回分の乾燥データを記憶する記憶装置と、前記乾燥データを表示するデータ表示器と、前記記憶装置に記憶させた乾燥データを表示させるデータ確認スイッチと、初回の水分測定が終了した際に前記記憶装置への乾燥データの記憶を行うとともに、水分測定データがある場合、あるいは水分測定データがない場合でも、乾燥運転が所定時間以上継続した際には、前記記憶装置への乾燥運転中の乾燥データの記憶を行うべく制御する制御手段とを設けたことを特徴とする穀物乾燥機の制御装置。
【発明の詳細な説明】
【０００１】
【発明の属する技術分野】
この発明は、穀物乾燥機の制御装置に係り、特に乾燥データを記憶装置に効率良く記憶させることができ、記憶装置の記憶容量を最小限とすることができるとともに、不要な乾燥データを記憶する惧れがなく、データ確認を容易に行うことができ、使い勝手を向上し得る穀物乾燥機の制御装置に関する。
【０００２】
【従来の技術】
穀物乾燥機は、各種センサ類からの信号を入力してモータ及びバーナを駆動させて穀物の乾燥状態を制御するために、穀物乾燥機の制御装置を備えている。
【０００３】
この穀物乾燥機の制御装置にあっては、乾燥データをデータ表示器に表示させる一方、過去の乾燥データを、例えば、パソコン等へデータ転送させて保存（記憶）させるものがある。
【０００４】
【発明が解決しようとする課題】
ところで、従来の穀物乾燥機の制御装置においては、全ての乾燥運転のデータを保存していた。
【０００５】
つまり、乾燥運転が開始されると、この開始時点で初期の穀物量を乾燥データ保存用メモリに保存するとともに、水分データが水分計から送られてきた際には、この水分データも乾燥データ保存用メモリに保存し、乾燥運転が終了した際には、乾燥時間と設定熱風温度と水分値とを乾燥データ保存用メモリに保存していた。
【０００６】
また、点検作業のために運転・停止操作した際の乾燥データや何らかの理由によって乾燥運転がすぐに停止された場合の乾燥データ、すなわち意味のない乾燥データも、１つの乾燥データとして前記乾燥データ保存用メモリに保存されていた。
【０００７】
この結果、多くの有効な乾燥データを保存するためには、前記乾燥データ保存用メモリの記憶容量を大とする必要があり、コストが大となって経済的に不利であるとともに、保存される乾燥データ内には意味のない乾燥データも多数含まれることとなり、有効な乾燥データの確認がし難く、使い勝手が悪いという不都合がある。
【０００８】
更に、乾燥データ保存用メモリによっては、保存個数を限定し、記憶容量を小としたものもあるが、保存個数が限定されると、最新の乾燥データの保存時に最古の乾燥データが消去されることとなり、この消去される乾燥データ内に有効な乾燥データが含まれているという惧れがあるとともに、保存個数を限定した乾燥データ保存用メモリ内に意味のない乾燥データが多数保存されてしまうという惧れもあり、改善が望まれていた。
【０００９】
【課題を解決するための手段】
そこで、この発明は、上述の不都合を除去するために、各種センサ類からの信号を入力して穀物乾燥機のモータ及びバーナを駆動させて穀物を乾燥制御する穀物乾燥機の制御装置において、複数回分の乾燥データを記憶する記憶装置と、前記乾燥データを表示するデータ表示器と、前記記憶装置に記憶させた乾燥データを表示させるデータ確認スイッチと、初回の水分測定が終了した際に前記記憶装置への乾燥データの記憶を行うとともに、水分測定データがある場合、あるいは水分測定データがない場合でも、乾燥運転が所定時間以上継続した際には、前記記憶装置への乾燥運転中の乾燥データの記憶を行うべく制御する制御手段とを設けたことを特徴とする。
【００１０】
【発明の実施の形態】
上述の如く発明したことにより、初回の水分測定が終了した際には、制御手段によって記憶装置への乾燥データを記憶させるべく制御し、また、水分測定データがある場合、あるいは水分測定データがない場合でも、制御手段によって記憶装置に乾燥データを記憶させるべく制御し、乾燥データを記憶装置に効率良く記憶させ、記憶装置の記憶容量を最小限とするとともに、不要な乾燥データを記憶する惧れがなく、データ確認を容易としている。
【００１１】
【実施例】
以下図面に基づいてこの発明の実施例を詳細且つ具体的に説明する。
【００１２】
図１〜図５は、この発明の実施例を示すものである。図４において、２は穀物乾燥機、４は穀物乾燥機の制御装置である。
【００１３】
穀物乾燥機２には、送風を行なうモータ６と熱源となるバーナ８とが設けられている。
【００１４】
また、この穀物乾燥機２には、図５に示す如く、化粧パネル１０が設けられている。
【００１５】
この化粧パネル１０には、運転制御スイッチ部１２と、乾燥条件設定部１４と、運転条件スイッチ部１６と、タイマ部１８と、送風切換部２０と、表示部２２と、データスイッチ部２４とが設けられている。
【００１６】
前記運転制御スイッチ部１２には、張込スイッチ２６と乾燥スイッチ２８と排出スイッチ３０と停止スイッチ３２とが設けられている。
【００１７】
また、前記乾燥条件設定部１４には、穀物量ツマミ３４と、設定水分ツマミ３６とが設けられている。
【００１８】
更に、前記運転条件スイッチ部１６には、穀物選択スイッチ３８と、乾燥選択スイッチ４０とが設けられている。
【００１９】
前記タイマ部１８には、タイマ設定スイッチ４２が設けられている。
【００２０】
前記送風切換部２０には、送風切換スイッチ４４と、手動の測定ボタン４６とが設けられている。
【００２１】
前記表示部２２には、乾燥データとして、設定熱風温度、水分値、乾燥（タイマ）時間等を表示するデータ表示器４８が設けられている。
【００２２】
前記データスイッチ部２４には、後述する記憶装置６８に記憶させた乾燥データをデータ表示器４８に一定の順序で自動的に表示させるデータ確認スイッチ５０が設けられている。
【００２３】
前記モータ６は、図４に示す如く、モータ駆動回路５２を介して制御手段５４に連絡している。バーナ８は、バーナ駆動回路５６を介して制御手段５４に連絡している。
【００２４】
また、この制御手段５４には、上述の運転制御スイッチ部１２と乾燥条件設定部１４と運転条件スイッチ部１６と測定ボタン４６とデータ表示器４８とデータスイッチ部２４とに加え、安全装置５８と炎センサ６０と熱風温度センサ６２と周囲温度センサ６４と穀物乾燥機２に付属の水分計６６と記憶装置６８とが連絡している。
【００２５】
この記憶装置６８は、複数回分の乾燥データを記憶できるものである。この記憶・表示される乾燥データは、少なくとも乾燥開始時の穀物量設定値と水分値、乾燥終了時の設定温度と水分値、タイマ時間、異常コード等で構成される。
【００２６】
つまり、前記記憶装置６８は、第１記憶部（ＥＥＰＲＯＭ、エレクトリック・イレーザブル・プログラマブル・リード・オンリ・メモリ）と第２記憶部（ＲＡＭ、ランダム・アクセス・メモリ）とを有し、第１記憶部（ＥＥＰＲＯＭ）には、乾燥終了後のデータ保存や乾燥停止時のデータ保存、異常コード保存に使用され、前記第２記憶部（ＲＡＭ）は、測定終了時のデータ一時保存や異常時のデータ一時保存に使用される。
【００２７】
そして、前記制御手段５４は、初回の水分測定が終了した際に前記記憶装置６８への乾燥データの記憶を行うとともに、水分測定データがある場合、あるいは水分測定データがない場合でも、乾燥運転が所定時間以上継続した際には、前記記憶装置への乾燥運転中の乾燥データの記憶を行うべく制御する機能を有している。
【００２８】
詳述すると、前記制御手段５４は、乾燥運転中の乾燥データを記憶装置６８の第２記憶部（ＲＡＭ）に一時的に保存すべく制御するとともに、乾燥終了時の乾燥データを記憶装置６８の第１記憶部（ＥＥＰＲＯＭ）に保存するか否かを判断した後に保存すべく制御するものである。
【００２９】
また、前記制御手段５４は、水分測定データがなく、且つ乾燥運転が所定時間、例えば１時間以上継続した際に、乾燥運転中の乾燥データを記憶装置６８の第１記憶部（ＥＥＰＲＯＭ）に記憶させるべく制御する機能を有する。
【００３０】
更に、前記制御手段５６は、乾燥運転中にデータ確認スイッチ５０を押した際に、最初に乾燥運転中の乾燥データを表示させるとともに、再度データ確認スイッチ５０を押した際には、以前の乾燥データを表示させるべく制御する機能を有する。
【００３１】
更にまた、前記制御手段５６は、異常が発生した場合に今回の異常コードと既に記憶装置６８の第１記憶部（ＥＥＰＲＯＭ）に保存されている異常コードとを比較し、今回の異常コードが既に保存されている異常コードと異なる場合にのみ新たに今回の異常コードを記憶装置６８の第１記憶部（ＥＥＰＲＯＭ）に保存すべく制御する機能を有する。
【００３２】
また、前記制御手段５６は、異常が発生した場合の今回の異常コードと既に記憶装置６８の第１記憶部（ＥＥＰＲＯＭ）に保存されている異常コードとが同一の場合には、異常の発生回数をカウントして保存すべく制御する機能をも有している。
【００３３】
なお、前記記憶装置６８の第１記憶部（ＥＥＰＲＯＭ）に異常コードを保存する際には、異常コードのみをまとめて保存することが可能であるとともに、異常コードとこの異常コード以外の乾燥データとを、例えば時間経過順に順次保存することも可能である。
【００３４】
次に、この実施例の作用を、図１の制御用フローチャートに基づいて説明する。
【００３５】
乾燥が開始すると（ステップ１０２）、先ず、乾燥（タイマ）時間のカウントを開始する（ステップ１０４）。
【００３６】
そして、安全装置５８が作動しているか否かを判断する（ステップ１０６）。
【００３７】
このステップ１０６でＹＥＳの場合には、異常処置とする（ステップ１０８）。この異常処理後にあっては、異常が発生した場合の今回の異常コードと既に記憶装置６８の第１記憶部（ＥＥＰＲＯＭ）に保存されている異常コードとが同一であるか否かの判断を行い（ステップ１１０）、このステップ１１０でＮＯの場合には、今回の異常コードを記憶装置６８の第１記憶部（ＥＥＰＲＯＭ）に保存する（ステップ１１０）とともに、記憶装置６８の第２記憶部（ＲＡＭ）に最初の乾燥データの一時保存が行われる（ステップ１１４）。
【００３８】
また、前記ステップ１１０でＹＥＳの場合には、記憶装置６８の第２記憶部（ＲＡＭ）に最初の乾燥データの一時保存が行われる（ステップ１１４）。このとき、異常が発生した場合の今回の異常コードと既に記憶装置６８の第１記憶部（ＥＥＰＲＯＭ）に保存されている異常コードとが同一であることにより、異常の発生回数がカウントされて制御手段５４によって保存される。
【００３９】
そして、ステップ１１４の後に、停止か否かの判断を行い（ステップ１１６）、このステップ１１６でＮＯの場合には、ステップ１１６がＹＥＳとなるまで判断を繰り返し行い、ステップ１１６でＹＥＳの場合には、乾燥を終了する（ステップ１１８）。
【００４０】
前記ステップ１０６でＮＯの場合には、乾燥条件スイッチ部１６の読み込みを行い（ステップ１２０）、乾燥条件設定部１４の読み込みを行い（ステップ１２２）、熱風温度センサ６２の読み込みを行い（ステップ１２４）、設定熱風温度を計算し（ステップ１２６）、熱風温度・水分値等の乾燥データの表示を行なう（ステップ１２８）。
【００４１】
そして、乾燥データの表示後は、モータ６を制御し（ステップ１３０）、バーナ８を制御し（ステップ１３２）、水分計６６を制御する（ステップ１２４）。
【００４２】
次いで、初回の水分測定か否かを判断し（ステップ１３６）、このステップ１３６がＹＥＳの場合には、測定終了か否かを判断し（ステップ１３８）、このステップ１３８がＹＥＳの場合には、記憶装置６８の第２記憶部（ＲＡＭ）に乾燥データの一時保存を行う（ステップ１４０）。この保存される乾燥データは、乾燥番号（ＮＯ）と穀物量と平均水分値である。
【００４３】
ステップ１３６でＮＯ、ステップ１３８でＮＯ、ステップ１４０での処理後は、例えば、水分計６６が自動停止して乾燥終了か否かを判断する（ステップ１４２）。
【００４４】
このステップ１４２でＹＥＳの場合には、記憶装置６８の第１記憶部（ＥＥＰＲＯＭ）に乾燥データの保存を行う（ステップ１４４）。この保存される乾燥データは、設定熱風温度と平均水分値と乾燥（タイマ）時間とである。
【００４５】
一方、ステップ１４２でＮＯの場合には、タイマ部１８の停止による停止スイッチ３２の状態で、乾燥停止か否かを判断する（ステップ１４６）。
【００４６】
このステップ１４６でＮＯの場合には、ステップ１０６に戻す。
【００４７】
ステップ１４６でＹＥＳの場合には、初回水分データがあるか否かあるいは乾燥運転が所定時間、例えば１時間以上継続したか否かの判断を行い（ステップ１４６）、このステップ１４６でＹＥＳ、つまり初回水分データがある場合や乾燥運転が１時間以上継続している場合には、記憶装置６８の第１記憶部（ＥＥＰＲＯＭ）に乾燥データの保存を行う処理（ステップ１４４）に移行させ、このステップ１４４の処理後とステップ１４６でＮＯ、つまり水分測定データがなく、且つ乾燥運転が１時間以上継続していない場合には、バーナ８を停止し（ステップ１５０）、モータ６を停止し（ステップ１５２）、乾燥を終了する（ステップ１５４）。
【００４８】
また、乾燥データの表示は、穀物乾燥機２が停止中の場合に、図２に示す如く行なわれる。
【００４９】
即ち、図２に示す如く、電源がオンになると（ステップ２０２）、運転制御スイッチ部１２がオンか否かを判断する（ステップ２０４）。
【００５０】
このステップ２０４でＹＥＳの場合には、各運転の開始をする（ステップ２０６）。
【００５１】
このステップ２０４でＮＯの場合には、データ確認スイッチ５０がオンか否かを判断する（ステップ２０８）。このステップ２０８でＮＯの場合には、ステップ２０４に戻す。
【００５２】
ステップ２０８でＹＥＳの場合には、今回の乾燥データを読み出し（ステップ２１０）、乾燥データを表示する（ステップ２１２）。この乾燥データの表示は、例えば、図３に示す如く行なわれる。
【００５３】
そして、データ確認スイッチ５０がオンか否かを判断する（ステップ２１４）。
【００５４】
このステップ２１４でＹＥＳの場合には、前回の乾燥データの読み出しを行い（ステップ２１６）、ステップ２１２に戻す。
【００５５】
ステップ２１４がＮＯの場合には、停止スイッチ３２がオンか否かを判断する（ステップ２１８）。
【００５６】
ステップ２１８でＮＯの場合には、ステップ２１２に戻す。
【００５７】
一方、ステップ２１８でＹＥＳの場合には、初期化処理を行い（ステップ２２０）、ステップ２０４に戻す。
【００５８】
即ち、この実施例にあっては、乾燥の運転が始まると、乾燥運転中の穀物量、設定熱風温度、初期水分値等の乾燥データが記憶装置６８の第２記憶部（ＲＡＭ）に一時保存され、そして、乾燥が終了した時点で、乾燥終了時の設定熱風温度、測定水分値又は平均水分値、乾燥に要した時間（タイマ時間）等の乾燥データが記憶装置６８の第１記憶部（ＥＥＰＲＯＭ）に記憶される。同様な手順で、最新の複数回分の乾燥データを記憶させる。
【００５９】
そして、この乾燥データは、穀物乾燥機２が停止中の場合に、データ確認スイッチ５０を押して前回の乾燥データをデータ表示器４８に一定の順序で自動的に表示される。更に、データ確認スイッチを５０を押すと、前前回の乾燥データが表示され、このようにして、複数回分の乾燥データを確認することができる。
【００６０】
また、前記穀物乾燥機２が乾燥運転中の場合の乾燥データの表示は、制御手段５４の機能によって、データ確認スイッチ５０を押した際に、最初に乾燥運転中の乾燥データが表示され、再度データ確認スイッチ５０を押した際には、以前の乾燥データが表示されるものである。
【００６１】
異常コードを表示させる際には、例えば確認ボタンと他のボタン（タイマの”−（マイナス）”等）との組み合わせにて行う。
【００６２】
これにより、乾燥データや異常コードを、記憶装置６８の第１記憶部（ＥＥＰＲＯＭ）や第２記憶部（ＲＡＭ）に効率良く記憶させることができ、記憶装置６８の記憶容量を最小限とすることができ、安価とし得て、経済的に有利であるとともに、不要な乾燥データや異常コードを記憶する惧れがなく、データ確認を容易に行うことができ、使い勝手を向上し得るものである。
【００６３】
また、乾燥データや異常コードのデータ確認によって、ユーザがその年の乾燥の傾向や異常状況を確認することができ、より適切な乾燥方法の手助けをすることができ、実用上有利である。
【００６４】
更に、初回水分データがある場合や乾燥運転が１時間以上継続している場合には、記憶装置６８の第１記憶部（ＥＥＰＲＯＭ）に乾燥データの保存を行うべく制御手段５４が制御することにより、停止時条件を満たしている場合にのみ乾燥データの保存を行うことができ、不要な乾燥データを排除し得る。
【００６５】
更にまた、前記制御手段５４に、穀物乾燥機２が乾燥運転中の場合の乾燥データの表示機能を追加したことにより、データ確認スイッチ５０を押した際に、最初に乾燥運転中の乾燥データが表示されるとともに、再度データ確認スイッチ５０を押した際には、以前の乾燥データが表示されることとなり、穀物乾燥機２が乾燥運転中にも乾燥運転中の乾燥状況や以前の乾燥状況を把握することができ、実用上有利である。
【００６６】
また、前記制御手段５６が、異常が発生した場合に今回の異常コードと既に記憶装置６８の第１記憶部（ＥＥＰＲＯＭ）に保存されている異常コードとを比較し、今回の異常コードが既に保存されている異常コードと異なる場合にのみ新たに今回の異常コードを記憶装置６８の第１記憶部（ＥＥＰＲＯＭ）に保存すべく制御する機能を有することにより、不要な異常コードを記憶装置６８の第１記憶部（ＥＥＰＲＯＭ）に記憶する惧れがなく、記憶装置６８の記憶容量の低減に寄与し得る。
【００６７】
更に、前記制御手段５６が、異常が発生した場合の今回の異常コードと既に記憶装置６８の第１記憶部（ＥＥＰＲＯＭ）に保存されている異常コードとが同一の場合には、異常の発生回数をカウントして保存すべく制御する機能を有していることにより、異常状況及び異常発生の頻度を確実に把握することができ、メンテナンス作業を迅速且つ確実・容易に行い得て、作業性を向上し得る。
【００６８】
【発明の効果】
以上詳細な説明から明らかなようにこの発明によれば、各種センサ類からの信号を入力して穀物乾燥機のモータ及びバーナを駆動させて穀物を乾燥制御する穀物乾燥機の制御装置において、複数回分の乾燥データを記憶する記憶装置と、乾燥データを表示するデータ表示器と、記憶装置に記憶させた乾燥データを表示させるデータ確認スイッチと、初回の水分測定が終了した際に記憶装置への乾燥データの記憶を行うとともに、水分測定データがある場合、あるいは水分測定データがない場合でも、乾燥運転が所定時間以上継続した際には、記憶装置への乾燥運転中の乾燥データの記憶を行うべく制御する制御手段とを設けたので、乾燥データを記憶装置に効率良く記憶させることができ、記憶装置の記憶容量を最小限とすることができ、安価とし得て、経済的に有利であるとともに、不要な乾燥データを記憶する惧れがなく、データ確認を容易に行うことができ、使い勝手を向上し得る。また、乾燥データのデータ確認によって、ユーザがその年の乾燥の傾向等を確認することができ、より適切な乾燥方法の手助けすることができ、実用上有利である。
【図面の簡単な説明】
【図１】  穀物乾燥機の制御用フローチャートである。
【図２】  運転停止中の乾燥データの表示のフローチャートである。
【図３】  乾燥データの表示例を示す図である。
【図４】  穀物乾燥機の制御装置の構成図である。
【図５】  穀物乾燥機の化粧パネルの正面図である。
【符号の説明】
２  穀物乾燥機
４  穀物乾燥機の制御装置
６  モータ
８  バーナ
１０  化粧パネル
２２  表示部
２４  データスイッチ部
４８  データ表示器
５０  データ確認スイッチ
５４  制御手段
６６  水分計
６８  記憶装置
【図１】
0003682711.tif 000002
【図２】
0003682711.tif 000003
【図３】
0003682711.tif 000004
【図４】
0003682711.tif 000005
【図５】
0003682711.tif 000006